(57)【要約】  【課題】遊技媒体が特定領域に確実に入球するまで、遊技者の注意を引きつけておくことが可能な遊技機を提供する。  【解決手段】遊技媒体が転動落下する遊技領域１５内の一部に開口部６１４が形成された特定領域６１２と、特定領域６１２の開口部６１４について遊技媒体の通過を許容する開口状態、又は、遊技媒体の通過を阻止する閉鎖状態に設定可能な移動式の開口部開閉部材６３０と、開口部開閉部材６３０を移動させる開閉駆動手段６３８とを備えた。  【選択図】図３
2009291474.tif 000002
【特許請求の範囲】
【請求項１】
遊技媒体を転動落下させる遊技領域が形成された遊技盤と、
前記遊技領域内の一部に開口部が形成された特定領域と、
前記特定領域を通過する遊技媒体を検出する特定領域通過検出手段と、
を備え、
前記特定領域通過検出手段が遊技媒体の通過を検出すると、遊技者に対して特定の利益を与える遊技機において、
前記特定領域の開口部を、前記遊技媒体の通過を許容する開口状態、又は前記遊技媒体の通過を阻止する閉鎖状態に設定可能な移動式の開口部開閉部材と、
前記開口部開閉部材を移動させて、前記開口部を開口状態又は閉鎖状態に切り替える開閉駆動手段を備えることを特徴とする遊技機。
【請求項２】
前記開口部開閉部材は、回転可能な回転体として構成され、
前記開閉駆動手段は、前記開口部開閉部材を回転駆動させることにより、前記開口部を開口状態又は閉鎖状態に切り替えることを特徴とする請求項１記載の遊技機。
【請求項３】
遊技媒体を転動落下させる遊技領域が形成された遊技盤と、
前記遊技領域内の一部に開口部が形成された特定領域を有する回転可能な回転盤と、
前記回転盤を回転駆動する回転盤駆動手段と、
前記特定領域を通過する遊技媒体を検出する特定領域通過検出手段と、
を備え、
前記特定領域通過検出手段が遊技媒体の通過を検出すると、遊技者に対して特定の利益を与える遊技機において、
前記回転盤の回転に伴って、前記特定領域の開口部を、前記遊技媒体の通過を許容する開口状態、又は前記遊技媒体の通過を阻止する閉鎖状態に設定可能な開口部開閉部材を備えることを特徴とする遊技機。
【請求項４】
前記開口部の下方には、前記開口部開閉部材を移動可能に保持する案内空隙が開設され、
前記特定領域の開口部周縁であって、前記開口部の表面から前記案内空隙に至る範囲に、面取形状の傾斜面を形成してなることを特徴とする請求項１〜３のいずれかに記載の遊技機。
【発明の詳細な説明】
【技術分野】
【０００１】
本発明は、発射装置により発射された遊技媒体を、遊技領域内で転動落下させながら遊技を行う遊技機に関するものである。
【背景技術】
【０００２】
従来パチンコ遊技機には、羽根物あるいは飛行機タイプと呼ばれる機種があり、以下のようにして遊技が行われる。
【０００３】
先ず、パチンコ遊技機の遊技領域に開口している始動口に遊技球が入球すると、遊技領域の中央部に形成されている入賞装置への遊技球の進入を阻止していた羽根状の可動部材が移動し、入賞装置の導入口が一時的に開口される。この可動部材が移動している僅かな時間に、遊技球が導入口から入賞装置に入ると、所定量の遊技球が払出される。入賞装置に入った遊技球は、その後入賞装置内を転動落下してゆき、大当りを惹起する特定領域に入球するか、又はハズレ球として排出口から遊技盤の裏側に排出される。
【０００４】
遊技球が特定領域に入球して大当り状態になると、一定時間が経過するまで、又は所定数量の遊技球が特定領域に入球するまで、の何れかの条件が満たされるまでの間、羽根状の可動部材が移動して、入賞装置の導入口は開口状態に維持される。そして、上述した条件が満たされるまで大当りの遊技状態が継続する。この大当りの遊技状態では、容易に遊技球を入賞装置内に入れることができるので、遊技者は多くの賞球を得ることができる。
【０００５】
上記のように、この種のパチンコ遊技機では、入賞装置内の特定領域に遊技球を入球させることによって、大当り遊技状態に移行させることができるので、変化に富んだ遊技を行わせることができる。更に、大当りの遊技状態に移行させることで、賞球獲得のチャンスも多くなり、遊技者の集中力も高まって、遊技の楽しみを味わうことができる。
【０００６】
従来から、上述したような羽根物を備えたパチンコ遊技機において、大当りの発生契機となる、特定領域への入球の注目度を向上させることを目的とした発明が知られている（例えば特許文献１参照。）。
【０００７】
特許文献１に記載されているパチンコ遊技機では、入賞装置に入った遊技球を全て一時的に貯留しておき、入賞装置の導入口を閉鎖すると同時に、これら貯留していた遊技球を一気に特定領域とハズレ穴とが併設されている領域に向けて流下させるように構成している。更に、この流下させる領域には、遊技球が特定領域に入球する際の注目度を向上させるために、特定領域とハズレ穴とを併設した回転盤が設けられている。この回転盤上には特定領域とハズレ穴とが併設されており、当該回転盤を水平面内において回転させることで、特定領域の位置を時々刻々と変化させている。これにより、遊技球が特定領域に入球する際の態様に変化を持たせることができ、遊技球が特定領域に入球するか否かというときの転動状態の注目度を向上させている。
【特許文献１】特開２００７−２６０２２４号公報
【発明の開示】
【発明が解決しようとする課題】
【０００８】
しかしながら、特許文献１に記載されているパチンコ遊技機では、特定領域を回転盤上に開口させているだけの構成となっているので、時々刻々と特定領域の位置が移動するものの、遊技球が特定領域に向かっていること、又は遊技球が特定領域に到達したことが確認されると、遊技者の興味は次の動作に移ってしまう。このため、遊技者が興味を持って遊技球の進行を注視していられる時間が短くなってしまい、遊技に対する興味も持続しないという不具合が生じていた。
【０００９】
本発明は、上記の課題に鑑みてなされたものであり、遊技媒体が、大当りを惹起する特定領域に確実に入球するまで、遊技者の注意を引きつけておくことが可能な遊技機を提供することを目的とする。
【課題を解決するための手段】
【００１０】
本発明に係る遊技機は、遊技媒体を転動落下させる遊技領域が形成された遊技盤と、前記遊技領域内の一部に開口部が形成された特定領域と、前記特定領域を通過する遊技媒体を検出する特定領域通過検出手段と、を備え、前記特定領域通過検出手段が遊技媒体の通過を検出すると、遊技者に対して特定の利益を与える遊技機において、前記特定領域の開口部を、前記遊技媒体の通過を許容する開口状態、又は前記遊技媒体の通過を阻止する閉鎖状態に設定可能な移動式の開口部開閉部材と、前記開口部開閉部材を移動させて、前記開口部を開口状態又は閉鎖状態に切り替える開閉駆動手段を備えることを特徴とする。
【００１１】
本発明によれば、遊技媒体が特定領域の開口部に到達した際に、当該開口部が開口していれば、遊技媒体が特定領域に入球して大当り等の遊技者にとって有利な遊技状態に移行するが、移動式の開口部開閉部材によって前記特定領域の開口部が閉鎖されている場合には、遊技媒体は特定領域に入球することなく開口部を通過する可能性が生ずる。したがって、遊技媒体が特定領域に確実に入球するまで、遊技者の注意を引きつけておくことができる。
【００１２】
また、移動式の開口部開閉部材を用いて特定領域の開口時間を調節することで、遊技媒体が入賞する確率を変更することができる。したがって、多様な設定を簡単に行うことができるので、多様な遊技性により遊技者の注意を長時間にわたって引きつけておくことが可能となる。
【００１３】
また、他の発明では、遊技機の前記開口部開閉部材は、回転可能な回転体として構成され、前記開閉駆動手段は、前記開口部開閉部材を回転駆動させることにより、前記開口部を開口状態又は閉鎖状態に切り替えることを特徴とする。
【００１４】
この発明によれば、開口部開閉部材を回転駆動することで、容易に特定領域の開口部を、開口状態又は閉鎖状態に切り替えることができる。
【００１５】
また、他の発明では、遊技媒体を転動落下させる遊技領域が形成された遊技盤と、前記遊技領域内の一部に開口部が形成された特定領域を有する回転可能な回転盤と、前記回転盤を回転駆動する回転盤駆動手段と、前記特定領域を通過する遊技媒体を検出する特定領域通過検出手段と、を備え、前記特定領域通過検出手段が遊技媒体の通過を検出すると、遊技者に対して特定の利益を与える遊技機において、前記回転盤の回転に伴って、前記特定領域の開口部を、前記遊技媒体の通過を許容する開口状態、又は前記遊技媒体の通過を阻止する閉鎖状態に設定可能な開口部開閉部材を備えることを特徴とする。
【００１６】
この発明によれば、特定領域の開口部は回転盤の回転位置に依存して移動することになる。更に、遊技媒体が特定領域の開口部に到達したとしても、そのとき開口部開閉部材により開口部が閉鎖されていれば、遊技媒体が開口部から特定領域内を通過することができない。
【００１７】
すなわち、回転移動している特定領域の開口部に遊技媒体が到達し、更に、開口部が開口状態となっているときに初めて大当り等の遊技者にとって有利な遊技状態に移行することができる。このため遊技者は、回転盤の回転位置と開口部開閉部材による開口部の開閉状態とを目で確認し続けることになるので、遊技媒体が大当り等を惹起する特定領域に確実に入球するまで、遊技者の注意を引きつけておくことができる。そして、遊技者の興味が持続する遊技機を提供することができる。
【００１８】
また、他の発明では、前記開口部の下方には、前記開口部開閉部材を移動可能に保持する案内空隙が開設され、前記特定領域の開口部周縁であって、前記開口部の表面から前記案内空隙に至る範囲に、面取形状の傾斜面を形成してなることを特徴とする。
【００１９】
この発明によれば、特定領域の開口部周縁に面取形状の傾斜面を形成し、この傾斜面の直下において開口部開閉部材が移動して、特定領域の開口部を、開口状態又は閉鎖状態にする。したがって、遊技媒体が特定領域の開口部に到達したものの、開口部開閉部材により特定領域の開口部が塞き止められている場合には、開口部周縁の傾斜面を乗り越えて、再び開口部の外へ出やすくなる。
【００２０】
他方、特定領域の開口部が開口している場合には、転動落下してきた遊技媒体は、面取形成された傾斜面に沿って特定領域に入りやすくなるので、遊技者が注目することとなる。
【発明の効果】
【００２１】
本発明によれば、遊技媒体が特定領域の開口部に到達した際に、当該開口部が開口していれば、遊技媒体が特定領域に入球して大当り等の遊技者にとって有利な遊技状態に移行するが、開口部開閉部材によって特定領域の開口部が閉鎖されている場合には、遊技媒体は特定領域に入球することなく開口部を通過する可能性が生ずる。したがって、遊技媒体が特定領域に確実に入球するまで、遊技者の注意を引きつけておくことができる。そして、遊技者の興味が持続する遊技機を提供することができる。
【発明を実施するための最良の形態】
【００２２】
以下に、本実施形態における遊技機の概観及び構成について図１から図３を用いて説明する。尚、以下において説明する実施形態においては、本発明を旧第２種パチンコ遊技機１０（所謂「羽根物」と称される。）に適用した実施例について説明する。
【００２３】
パチンコ遊技機１０は、図１から図３に示すように、ガラスドア１１、本体１２（木枠）、ベースドア１３、遊技盤１４、皿ユニット２１、画像を表示する液晶表示装置３２、遊技球を発射する発射装置１３０、各種の制御基板を含む基板ユニット４００、遊技価値としての遊技球を付与する球払出ユニット５００などから構成されている。
【００２４】
上述したガラスドア１１は、ベースドア１３に対して開閉自在に軸着されている。また、このガラスドア１１の中央には、開口１１ａが形成されており、その開口１１ａには、透過性を有する保護ガラス１９が配設されている。また、上述した本体１２は、その前方にベースドア１３が軸着される。
【００２５】
上述した皿ユニット２１は、ガラスドア１１の下方に位置するように、ベースドア１３に配設されている。皿ユニット２１には、その上方に上皿２０が、その下方に下皿２２が設けられている。上皿２０及び下皿２２には、遊技球の貸し出し、遊技球の払出し（賞球）を行うための払出口２０ａ、２２ａが形成されており、所定の払出条件が成立した場合には、遊技球が排出され、特に、上皿２０には、後述する遊技領域１５に向けて発射させるための遊技球が貯留される。
【００２６】
上述した発射装置１３０は、皿ユニット２１の側方に位置するように、ベースドア１３に配設されている。この発射装置１３０には、遊技者によって操作可能な発射ハンドル２６が配設されており、遊技者によって発射ハンドル２６が操作されることによりパチンコ遊技を進めることができる。この発射ハンドル２６が遊技者によって握持され、かつ、時計回り方向へ回動操作されたときには、その回動角度に応じて発射モータに電力が供給され、上皿２０に貯留された遊技球が遊技盤１４に順次発射される。
【００２７】
上述した遊技盤１４は、保護ガラス１９の後方に位置するように、ベースドア１３の前方に配設されている。遊技盤１４は、その前面に、発射された遊技球が転動可能な遊技領域１５を有している。この遊技領域１５は、ガイドレール３０などに囲まれ、遊技球が転動可能な領域である。このように、発射装置１３０によって発射された遊技球は、遊技盤１４上に設けられたガイドレール３０に案内されて遊技盤１４の上部に移動し、その後、遊技領域１５に設けられた複数の障害釘との衝突によりその進行方向を変えながら遊技盤１４の下部に向かって落下することとなる。
【００２８】
この遊技盤１４の後方には、液晶表示装置３２の表示領域が視認可能に配設されている。また、ベースドア１３の上部には、スピーカ４６が配設される。
【００２９】
上述した液晶表示装置３２は、遊技に関する画像を表示するための表示領域を有している。この液晶表示装置３２は、遊技盤１４に形成された開口１１ａの後方（背面側）に配設されることとなる。この液晶表示装置３２における表示領域には、遊技に係る背景画像、演出画像、遊技球が始動口４４ａ、４４ｂに入賞したこと、入賞装置６００内に入賞したこと、特定領域６１２に入賞したこと、又は大当り状態等に関する画像が、所定の態様で表示されることとなる。
【００３０】
尚、本実施形態において、画像を表示する部分として液晶ディスプレイパネルからなる液晶表示装置３２を採用したが、これに限らず、他の態様であってもよく、例えば、ＣＲＴ（Cathode  Ray  Tube）を含むブラウン管、ドットＬＥＤ（Light  Emitting  Diode）、セグメントＬＥＤ、ＥＬ（Electronic  Luminescent）、プラズマ等からなるものであってもよい。
【００３１】
上述した遊技盤１４の遊技領域１５には、各種の役物が設けられている。各種の役物の一例として図３を用いて以下に説明するが、これに限定されるものではない。
【００３２】
例えば、遊技盤１４の遊技領域１５内の中央上部には、普通図柄の可変表示を行う普通図柄表示装置３５が設けられている。また、遊技盤１４の上部には、普通図柄ゲームにおける保留個数を表示する普通図柄保留表示装置３７が設けられている。
【００３３】
また、遊技盤１４の遊技領域１５内の上部には、球通過検出器５４が設けられている。遊技球が球通過検出器５４を通過すると、普通図柄表示装置３５における普通図柄の変動表示が開始され、所定の時間が経過した後、普通図柄の変動表示が停止される。
【００３４】
この普通図柄が所定の図柄として停止表示されたときには、後述する始動口４４ａの左右の両側に設けられている羽根部材４８（所謂、普通電動役物。）が閉鎖状態から開放状態となり、始動口４４ａに遊技球が入り易くなる。また、羽根部材４８を開放状態とした後、所定の時間が経過したときには、羽根部材４８を再び閉鎖状態に戻して、始動口４４ａに遊技球を入り難くする。
【００３５】
また、普通図柄ゲームにおける普通図柄の可変表示中に、再度球通過検出器５４へ遊技球が入賞した場合には、可変表示中の普通図柄が導出表示されるまで、その球通過検出器５４への遊技球の入賞に基づく普通図柄の可変表示の実行（開始）が保留される。つまり、所定の可変表示実行条件が成立したが、所定の可変表示開始条件が成立していない場合（所定の可変表示保留条件が成立した場合。）には、所定の可変表示開始条件が成立するまで、普通図柄の可変表示の実行（開始）が保留されることとなる。普通図柄の可変表示の実行が保留されている状態で、普通図柄が導出表示された場合には、保留されている普通図柄の可変表示の実行が開始される。
【００３６】
また、普通図柄が導出表示された場合に実行される普通図柄の可変表示の実行は一回分である。また、普通図柄の可変表示の実行が保留される回数には上限が設定されており、例えば、４回を上限として普通図柄の可変表示が保留される。このように普通図柄ゲームにおける普通図柄の可変表示が保留された場合には、普通図柄保留表示装置３７は、その保留個数を表示することとなる。
【００３７】
尚、本実施形態においては、４回を上限として普通図柄の可変表示を保留するように構成したが、これに限らず、別の態様であってもよく、例えば、一回又は複数回を上限として、普通図柄の可変表示を保留するように構成してもよく、更には、上限を設定することなく保留するように構成してもよい。もちろん、普通図柄の可変表示を保留しないように構成してもよい。
【００３８】
また、遊技盤１４の遊技領域１５内の下部には、遊技球の一般入賞口５６、始動口４４ａ、４４ｂなどが設けられている。遊技球が、一般入賞口５６、始動口４４ａ、４４ｂに入賞すると、入賞球１個につき所定数量（例えば５個。）の遊技球が賞球として上皿２０に払出されることになる。
【００３９】
また、遊技盤１４の前面中央には、入賞装置隔壁６０１により包囲された入賞装置６００（特別電動役物）が配置されている。この入賞装置６００の上部には、当該入賞装置６００内に遊技球を導入する導入口６０３が開設されている。この左右一対の導入口６０３は、通常はそれぞれ可動部材６０２によって塞がれている。上述した始動口４４ａ、４４ｂに遊技球が入球すると、入賞装置６００の導入口６０３を塞いでいた可動部材６０２は、遊技球を受け入れ易い開放状態となるように移動する。
【００４０】
開放状態となった可動部材６０２は、所定の時間が経過した後に入賞装置６００の導入口６０３を塞ぐ位置に移動して、入賞装置６００に対する遊技球の入賞が抑止される。可動部材６０２が移動して導入口６０３を開放状態にしている時間は、例えば遊技球が始動口４４ａに入賞した場合には０．６秒、始動口４４ｂに入賞した場合には、０．４秒に設定されている。更に、遊技球が始動口４４ａに入賞した場合には０．６秒間の導入口６０３の開放を２回行うようにしてもよい。
【００４１】
また、上述した球通過検出器５４、一般入賞口５６、導入口６０３、始動口４４ａ、４４ｂにおける遊技球の流路には、それぞれ、通過球センサ１１４、一般入賞球センサ１１２、大入賞口センサ１０４、始動入賞球センサ１１６が配設され、それぞれの通過又は入球が検知される。また、羽根部材４８、可動部材６０２の背部には、それぞれ、普通電動役物ソレノイド１１８、可動部材駆動手段１２０が配設され、それぞれの駆動が行われる（図１０に示す制御回路のブロック図参照。）。遊技領域１５を転動落下した遊技球のうち、一般入賞口５６、導入口６０３、始動口４４ａ、４４ｂの何れにも入球しなかった遊技球は、遊技領域１５の下部に開口している排出口２４から遊技盤１４の裏側に排出され、ハズレ球となる。
【００４２】
次に、入賞装置６００の詳細について、図４及び図５を用いて説明する。図４及び図５は、特定領域６１２の開口部６１４が形成されている回転盤６１０と、特定領域６１２の開口部６１４を開口状態又は閉鎖状態に設定可能な開口部開閉部材６３０の双方が回転する実施例を示す図である。この図４に示す実施例の他にも、後段の図１１及び図１２に示すように、回転盤６１０又は開口部開閉部材６３０の何れか一方を固定として、開口部開閉部材６３０又は回転盤６１０の何れか一方のみが回転する構成を用いることによっても、本発明の目的を達成することが可能である。
【００４３】
また、図４に示す実施例では、回転盤６１０及び開口部開閉部材６３０を入賞装置６００の内部に配置した実施例を示しているが、回転盤６１０及び開口部開閉部材６３０を、入賞装置６００外部の遊技領域１５に配置することもできる。
【００４４】
図４は、入賞装置６００を遊技者側から見た正面図であり、入賞装置隔壁６０１、回転盤６１０、及び開口部開閉部材６３０についての断面を表した図である。図５は、図４に示すＶ−Ｖ矢視断面図であり、回転盤６１０を上方から観察することにより、回転盤６１０の内部に配されている開口部開閉部材６３０の形状を破線で表した平面図である。
【００４５】
図４及び図５に示すように、入賞装置６００の内部には、入賞装置隔壁６０１により包囲された入賞領域６０５が形成されている。入賞装置隔壁６０１の上部左右には、入賞領域６０５に遊技球を導入する導入口６０３が形成されている。この左右一対の導入口６０３は、通常はそれぞれ可動部材６０２によって塞がれているが、始動口４４ａ、４４ｂに遊技球が入球すると、始動口４４ａ、４４ｂの後方に配されている始動入賞球センサ１１６ａ、１１６ｂ（後段の図１０参照。）が遊技球の通過を検出して、主制御回路６０が入賞を判断する。始動口４４ａ、４４ｂに遊技球が入賞すると、主制御回路６０は可動部材駆動手段１２０に移動指令を出力して、可動部材６０２の開閉制御を実行する。具体的には、主制御回路６０が可動部材６０２を移動させる可動部材駆動手段１２０に対して電圧を印加することにより、導入口６０３を開放する位置に、可動部材６０２を移動させる指示を出力する。
【００４６】
また、始動口４４ａ、４４ｂに遊技球が入賞すると、主制御回路６０は開閉駆動手段６３８（後段にて詳説する。）に駆動指令を出力して、開口部開閉部材６３０を移動させて、開口部６１４及び開口部６２４を開口状態又は閉鎖状態に切り替える制御を実行する。また、始動口４４ａ、４４ｂに遊技球が入賞すると、主制御回路６０は回転盤駆動手段６１８（後段にて詳説する。）に駆動指令を出力して、回転盤６１０を回転させて、開口部６１４及び開口部６２４を開口状態又は閉鎖状態に切り替える制御を実行する。この、開口部開閉部材６３０の移動及び回転盤６１０の駆動は、入賞装置６００に入賞した遊技球が、入賞装置６００内を転動しているであろう所定の時間継続するとよい。このように、開口部開閉部材６３０の移動及び回転盤６１０の駆動を、遊技球が入賞装置６００内を転動しているであろう所定の時間のみ実行することで、不必要な消費電力の増加を防止することができる。なお、開口部開閉部材６３０の移動及び回転盤６１０の駆動の開始条件として、大入賞口センサ１０４による遊技球通過の検出を用いることもできる。
【００４７】
図４に示すように、可動部材６０２近傍の遊技盤１４の裏面には、可動部材駆動手段１２０（図４に示す実施例では、ソレノイドを使用しており、右側の可動部材駆動手段１２０のみを破線で記載してある。）が配されている。主制御回路６０が、可動部材駆動手段１２０に対して導入口６０３を開放する位置に移動させる指示を与えると、可動部材駆動手段１２０のプランジャ１２１が下降する。すると、プランジャ１２１に連接されている可動部材６０２のレバーが連動して下降し、可動部材６０２が所定の角度だけ時計回りに移動して、塞がれていた導入口６０３が開口する。これにより導入口６０３は、遊技球を受け入れ易い開放状態となる。
【００４８】
可動部材６０２が移動して導入口６０３を開放状態にした後に所定の時間が経過すると、主制御回路６０は可動部材駆動手段１２０のプランジャ１２１を元の位置まで上昇させる指示を出力する。すると、開放状態となっていた可動部材６０２は導入口６０３を塞ぐ位置に移動して、入賞装置６００に対する遊技球の入賞が抑止される。
【００４９】
尚、可動部材６０２が移動して導入口６０３を開放状態にしている間に、遊技球が導入口６０３を通って入賞領域６０５に入ると、導入口６０３に配されている大入賞口センサ１０４が遊技球の通過を検出し、入賞球１個につき所定数量（例えば１０個。）の遊技球が賞球として上皿２０に払出される。
【００５０】
導入口６０３から入賞領域６０５に入った遊技球の一部は、遊技球の落下を阻止する落下阻止面６１１に衝突し、当該落下阻止面６１１の上部にて転動運動を行う。落下阻止面６１１に衝突しなかった遊技球は、直接排出口６４０に到達して遊技盤１４（図３参照）の裏面に排出され、ハズレ球となる。また、図４及び図５に示す実施例では、落下阻止面６１１には、ハズレ穴６２２の開口部６２４が３箇所、特定領域６１２に至る開口部６１４が１箇所開設されており、それぞれ遊技球が通過するように構成されている。尚、特定領域６１２の開口部６１４の周囲には、この開口部６１４に遊技球が入賞すると大当りの遊技状態に移行する旨を遊技者に通知するための、特定領域識別表示６１５が描かれている。ハズレ穴６２２の開口部６２４の周囲には、当該特定領域識別表示６１５は描かれていない。
【００５１】
落下阻止面６１１に開口している開口部６１４、６２４の周縁には、面取形状の傾斜面６１６、６２６を形成してある。開口部６１４、６２４の周縁に傾斜面６１６、６２６を形成することによって、遊技球が開口部６１４、６２４に到達したものの、開口部開閉部材６３０により開口部６１４、６２４が塞き止められている場合には、開口部周縁の傾斜面６１６、６２６を乗り越えて、再び落下阻止面６１１に戻りやすくなる。他方、開口部６１４、６２４が開口している場合には、落下阻止面６１１を転動してきた遊技球は、傾斜面６１６、６２６に沿って開口部６１４、６２４に入りやすくなるので、遊技者は遊技球の行方に注目することになる。
【００５２】
落下阻止面６１１の上部を転動する遊技球は、開口部６２４から入ってハズレ穴６２２を通過して排出口６４０に至る場合、開口部６１４から入って特定領域６１２を通過して排出口６４０に至る場合、何れの開口部６２４、６１４にも入球せずに落下阻止面６１１の側方からこぼれ落ちて排出口６４０に至る場合に分けられる。
【００５３】
このうち、開口部６２４から入ってハズレ穴６２２を通過して排出口６４０に至る遊技球と、落下阻止面６１１の側方からこぼれ落ちて排出口６４０に至る遊技球は、ハズレ球となるが、開口部６１４から入って特定領域６１２を通過して排出口６４０に至った遊技球は、特定領域６１２の一部に配されている特定領域通過検出手段６１３により検出されて、主制御回路６０（後段にて説明する図１０参照。）が大当り状態を判定する。
【００５４】
大当り状態になると、主制御回路６０は、可動部材駆動手段１２０に移動指令を出力して、一定時間（例えば３０秒の開放上限時間。）が経過するまで、又は所定数量の遊技球が特定領域に入球するまで（例えば１０個。）、の何れかの条件が満たされるまでの間、羽根状の可動部材６０２を移動させて、入賞装置６００の導入口６０３を開口状態に維持する。入賞装置６００の導入口６０３が開口状態になると、容易に遊技球を入賞装置６００内に入れることができるので、遊技者は多くの賞球を得ることができる。
【００５５】
この羽根状の可動部材６０２を移動させて入賞装置６００の導入口６０３を一定時間の間、開口状態に維持する第１回目の大当り遊技は「第１ラウンド」と称される。この大当り遊技中において特定領域６１２に遊技球が入賞すると、その後、予め定められた大当りの最大連続回数（例えば、７回、１５回など。）まで、「第２ラウンド」、「第３ラウンド」…と順次繰り返し作動する。この大当りの最大連続回数は、特定領域６１２に遊技球が入賞して特定領域通過検出手段６１３が遊技球の通過を検出した際に、主制御回路６０が抽籤により決定する。
【００５６】
入賞装置６００の内部に配されている液晶表示装置３２には、遊技球が球通過検出器５４を通過した際の演出、始動口４４ａ、４４ｂに入賞した際の演出、入賞装置６００に入賞した際の演出、特定領域６１２に入賞した際の演出、大当りの最大連続回数とその抽籤結果に対応した図柄の変動表示及び停止表示の態様、その他の遊技を盛り上げる演出を表示することができる。
【００５７】
次に、本発明に係る特定領域６１２の開口部６１４の開閉機構について説明する。本発明では、特定領域６１２の開口部６１４に、開口部開閉部材６３０を配して開閉動作を行っている。この開閉動作により、遊技球が特定領域６１２の開口部６１４に到達した場合であっても、遊技球が開口部６１４を通過する可能性が生ずる。したがって、遊技球が特定領域６１２の開口部６１４に確実に入球するまで遊技者の注意を引きつけて、遊技者の興味が持続するようにしている。
【００５８】
図４及び図５に示す状態では、移動式の開口部開閉部材６３０が、特定領域６１２の開口部６１４を閉鎖する位置に移動しているために、遊技球が特定領域６１２の開口部６１４に転動してきた場合であっても、遊技球が開口部６１４を通過して特定領域６１２に入賞しない状態となっている。
【００５９】
図４及び図５に示す開口部開閉部材６３０は、落下阻止面６１１直下の回転盤６１０の内部に形成された空隙内において、水平面内において回転可能に保持されている。この空隙は、特定領域６１２に貫通する空隙である。開口部開閉部材６３０が回転移動することにより、特定領域６１２の開口部６１４を、遊技球の通過を許容する開口状態、又は遊技球の通過を阻止する閉鎖状態に設定することができる。
【００６０】
この開口部開閉部材６３０は、入賞装置６００の中央に垂直に配された回転軸を中心に、図５に示すＲＳ方向に回転可能となっている。開口部開閉部材６３０の回転軸の下部には平歯車が形成されており、この平歯車は、ステッピングモータ等で構成された開閉駆動手段６３８の出力軸に形成された平歯車と噛合している。したがって、主制御回路６０が開閉駆動手段６３８の出力軸を回転駆動させることにより、開口部開閉部材６３０が水平面内において回転して、特定領域６１２の開口部６１４の開閉動作を行うことができる。尚、開口部開閉部材６３０の回転速度を変更したり、開口部開閉部材６３０の略扇形の形状を変更することにより、遊技球が特定領域６１２に入賞する確率を調節することができる。
【００６１】
また、図４及び図５に示す実施例では、特定領域６１２の開口部６１４の開閉動作に対してバリエーションを設けるために、落下阻止面６１１及び特定領域６１２の開口部６１４が形成された回転盤６１０を回転可能に構成している。回転盤６１０は、入賞装置６００の中央に垂直に配された回転軸を中心に、図５に示すＲＴ方向に回転可能となっている。回転盤６１０の回転軸の下部には平歯車が形成されており、この平歯車は、ステッピングモータ等で構成された回転盤駆動手段６１８の出力軸に形成された平歯車と噛合している。
【００６２】
したがって、主制御回路６０が回転盤駆動手段６１８を、先に説明した開口部開閉部材６３０と異なる回転速度で回転駆動させることにより、回転盤６１０と開口部開閉部材６３０との間で相対回転速度が発生し、特定領域６１２の開口部６１４を開閉させることができる。回転盤６１０と開口部開閉部材６３０と間の相対回転速度を変更したり、開口部開閉部材６３０の略扇形の形状を変更することにより、遊技球が特定領域６１２に入賞する確率を調節することができる。
【００６３】
また、図５及び図６に示す実施例では、特定領域６１２の開口部６１４を開口状態又は閉鎖状態に設定するのみならず、ハズレ穴６２２の開口部６２４も開口状態又は閉鎖状態に設定している。ハズレ穴６２２の開口部６２４を開閉することによって、遊技球がハズレ穴６２２の開口部６２４に到達した場合であっても、開口部開閉部材６３０が遊技球の入球を阻止し、遊技球が開口部６２４を通過して、特定領域６１２の開口部６１４に向かう可能性が生ずる。したがって、遊技球がハズレ穴６２２の開口部６２４に到達した場合であっても、ハズレ穴６２２の開口部６２４に入球するまで遊技者の注意を引きつけておくことができる。
【００６４】
尚、回転盤６１０及び開口部開閉部材６３０は、双方を回転させてもよいし、何れか一方のみを回転させてもよい。また、図４及び図５に示した実施例では、開口部開閉部材６３０が、落下阻止面６１１直下の回転盤６１０の内部を移動するように構成した実施例を示したが、これに代えて、開口部開閉部材が落下阻止面６１１の上面を移動するように構成しても、本発明の目的を達成することができる。
【００６５】
次に、特定領域の開口部を、開口状態又は閉鎖状態に設定可能な開口部開閉部材についての、他の実施例を図６及び図７に示す。図６及び図７は、入賞装置１６００の略中央部に形成されている回転軸を中心に回転可能で、特定領域６１２の開口部６１４が形成されている回転盤１６１０と、特定領域６１２の開口部６１４を開口状態又は閉鎖状態に設定可能な円盤形状の部材であって、外周部において入賞装置隔壁１６０１に対して回転自在に保持されている開口部開閉部材１６３０との双方が、水平面内において回転運動する実施例を示す図である。
【００６６】
この図６に示す実施例の他にも、後段にて説明する図１３及び図１４に示すように、回転盤１６１０又は開口部開閉部材１６３０の何れか一方を固定として、開口部開閉部材１６３０又は回転盤１６１０の何れか一方のみが回転する構成を用いることによっても、本発明の目的を達成することが可能である。また、図６に示す実施例では、回転盤１６１０及び開口部開閉部材１６３０を入賞装置１６００の内部に配置した実施例を示しているが、回転盤１６１０及び開口部開閉部材１６３０を、入賞装置１６００外部の遊技領域１５に配置することもできる。
【００６７】
図６は、入賞装置１６００を遊技者側から見た正面図であり、入賞装置隔壁１６０１、回転盤１６１０、及び開口部開閉部材１６３０についての断面を表した図である。図７は、図６に示すＶＩＩ−ＶＩＩ矢視断面図であり、回転盤１６１０を上方から観察することにより、回転盤１６１０の内部に進入している開口部開閉部材１６３０の形状を破線で表した平面図である。尚、図４及び図５に示した構成と同一の部材については、同一の符号を付してその説明を省略する。
【００６８】
図６及び図７に示すように、入賞装置１６００の内部には、入賞装置隔壁１６０１により包囲された入賞領域６０５が形成されている。落下阻止面６１１には、ハズレ穴６２２の開口部６２４が３箇所、特定領域６１２に至る開口部６１４が１箇所開設されており、それぞれ遊技球が通過するように構成されている。開口部６１４の周囲には、この開口部６１４に遊技球が入賞すると大当りの遊技状態に移行する旨を遊技者に通知する特定領域識別表示６１５が描かれている。
【００６９】
また、開口部６１４、６２４の周縁には、面取形状の傾斜面６１６、６２６を形成してある。これにより、遊技球が開口部６１４、６２４に到達したものの、開口部開閉部材１６３０により開口部６１４、６２４が塞き止められている場合には、開口部周縁の傾斜面６１６、６２６を乗り越えて、再び落下阻止面６１１に戻りやすくなる。他方、開口部６１４、６２４が開口している場合には、落下阻止面６１１を転動してきた遊技球は、傾斜面６１６、６２６に沿って開口部６１４、６２４に入りやすくなるので、遊技者は遊技球の行方に注目することになる。
【００７０】
落下阻止面６１１の上部を転動する遊技球が、開口部６１４から入って特定領域６１２を通過して、特定領域通過検出手段６１３が遊技球を検出すると、主制御回路６０（後段にて説明する図１０参照。）が大当り状態を判定する。
【００７１】
大当り状態になると、主制御回路６０は、可動部材駆動手段１２０に移動指令を出力して、一定時間（例えば３０秒の開放上限時間。）が経過するまで、又は所定数量の遊技球が特定領域に入球するまで（例えば１０個。）、の何れかの条件が満たされるまでの間、羽根状の可動部材６０２を移動させて、入賞装置１６００の導入口６０３を開口状態に維持する。この一連の大当り遊技中において特定領域６１２に遊技球が入賞し続けると、最大連続回数まで繰り返し継続させることができる。
【００７２】
図６及び図７に示す実施例では、特定領域６１２の開口部６１４に、外周部が保持された開口部開閉部材１６３０を配して開閉動作を行っている。これにより、遊技球が特定領域６１２の開口部６１４に到達した場合であっても、遊技球が開口部６１４を通過する可能性が生ずる。したがって、遊技球が特定領域６１２の開口部６１４に確実に入球するまで遊技者の注意を引きつけて、遊技者の興味が持続するようにしている。
【００７３】
図６及び図７に示す状態では、移動式の開口部開閉部材１６３０が、特定領域６１２の開口部６１４を閉鎖する位置に移動しているために、遊技球が特定領域６１２の開口部６１４に転動してきた場合であっても、遊技球が開口部６１４を通過して特定領域６１２に入賞しない状態となっている。
【００７４】
他方、ハズレ穴６２２の開口部６２４には、開口部開閉部材１６３０に開設されている落下孔１６３４が合致しているので、ハズレ穴６２２の開口部６２４に到達した遊技球は、開口部６２４から落下孔１６３４を通過してハズレ穴６２２に進入する。そして、排出口６４０から遊技盤１４（図３参照）の裏側に排出される。また、落下阻止面６１１の側方からこぼれ落ちた遊技球を排出口６４０に導くために、円盤形状の開口部開閉部材１６３０には落下孔１６３２が開設されている（図７参照）。
【００７５】
図６及び図７に示す開口部開閉部材１６３０の外周部は、入賞装置隔壁１６０１に形成された案内溝１６３６に沿って、回転自在に保持されている。よって、開口部開閉部材１６３０は、図７に示すＲＳ方向に、水平面内において回転自在となっている。この開口部開閉部材１６３０の内周部分は、回転盤１６１０の外周部にコの字型の溝として形成された空隙内に進入する形で、落下阻止面６１１の直下に配されている。
【００７６】
回転盤１６１０の外周部に、コの字型の溝として形成された空隙は、特定領域６１２に貫通する空隙である。したがって、開口部開閉部材１６３０を回転移動することにより、特定領域６１２の開口部６１４を、遊技球の通過を許容する開口状態、又は遊技球の通過を阻止する閉鎖状態に設定することができる。
【００７７】
開口部開閉部材１６３０の外周部には、ウォームホイールが形成されている。このウォームホイールは、ステッピングモータ等で構成された開閉駆動手段１６３８の出力軸と共に回転する、ウォームギヤ１６３９と噛合している。したがって、主制御回路６０が開閉駆動手段１６３８の出力軸を回転駆動させることにより、ウォームギヤ１６３９が回転し、開口部開閉部材１６３０が水平面内において回転するので、特定領域６１２の開口部６１４の開閉動作を行うことができる。尚、開口部開閉部材１６３０の回転速度を適宜変更したり、開口部開閉部材１６３０に開設されている落下孔１６３４の形状を変更することにより、遊技球が特定領域６１２に入賞する確率を調節することができる。
【００７８】
また、図６及び図７に示す実施例では、特定領域６１２の開口部６１４の開閉動作に対して、更にバリエーションを設けるために、落下阻止面６１１及び特定領域６１２の開口部６１４が形成された回転盤１６１０を回転可能に構成している。回転盤１６１０は、入賞装置１６００の中央に垂直に配された回転軸を中心に、図７に示すＲＴ方向に回転可能となっている。回転軸の下部には、平歯車が形成されており、この平歯車は、ステッピングモータ等で構成された回転盤駆動手段６１８の出力軸に形成された平歯車と噛合している。
【００７９】
したがって、主制御回路６０が回転盤駆動手段６１８を、先に説明した開口部開閉部材１６３０と異なる回転速度で回転駆動させることにより、回転盤１６１０と開口部開閉部材１６３０との間で相対回転速度が発生し、特定領域６１２の開口部６１４を開閉させることができる。回転盤１６１０と開口部開閉部材１６３０と間の相対回転速度を変更したり、開口部開閉部材１６３０に開設されている落下孔１６３４の形状を変更することにより、遊技球が特定領域６１２に入賞する確率を調節することができる。
【００８０】
また、図６及び図７に示す実施例では、特定領域６１２の開口部６１４を開口状態又は閉鎖状態に設定するのみならず、ハズレ穴６２２の開口部６２４も開口状態又は閉鎖状態に設定している。これにより、遊技球がハズレ穴６２２の開口部６２４に到達した場合であっても、開口部開閉部材１６３０が遊技球の入球を阻止し、遊技球が開口部６２４を通過して、特定領域６１２の開口部６１４に向かう可能性が生ずる。したがって、遊技球がハズレ穴６２２の開口部６２４に到達した場合であっても、ハズレ穴６２２の開口部６２４に入球するまで遊技者の注意を引きつけておくことができる。
【００８１】
尚、回転盤１６１０及び開口部開閉部材１６３０は、双方を回転させてもよいし、何れか一方のみを回転させることによっても、特定領域６１２の開口部６１４を開閉させることができる。また、図６及び図７に示した実施例では、開口部開閉部材１６３０が、落下阻止面６１１直下の回転盤１６１０の内部を移動するように構成した実施例を示したが、これに代えて、開口部開閉部材が落下阻止面６１１の上面を移動するように構成しても、本発明の目的を達成することができる。
【００８２】
次に、特定領域の開口部を、開口状態又は閉鎖状態に設定可能な開口部開閉部材の、他の実施例を図８及び図９に示す。図８及び図９は、遊技球の落下を阻止する落下阻止面６１１と、開口部６１４の開閉構造とを表した正面断面図である。図８は、摺動式の開口部開閉部材２６３０が開口部６１４に進出移動することにより、特定領域６１２の開口部６１４が閉鎖されている状態を示す図である。他方、図９は、摺動式の開口部開閉部材２６３０が退避することにより、特定領域６１２の開口部６１４が開口している状態を示す図である。尚、図４〜図７に示した入賞装置隔壁６０１、１６０１や液晶表示装置３２、可動部材６０２の記載は省略してある。また、図４〜図７に示した構成と同一の部材については、同一の符号を付してその説明を省略する。
【００８３】
また、図８及び図９に示す実施例では、特定領域６１２の開口部６１４及び落下阻止面６１１は、回転可能な回転盤２６１０に形成されている実施例を示してあるが、開口部６１４及び落下阻止面６１１を回転自在に形成せずに、入賞装置隔壁２６０１側に固定した構成を用いても、本発明の目的を達成することができる。
【００８４】
図８及び図９に示すように、回転盤２６１０の上面に形成されている落下阻止面６１１には、ハズレ穴６２２に至る開口部６２４と、特定領域６１２に至る開口部６１４とが開設されており、それぞれ遊技球が通過するように構成されている。
【００８５】
図８及び図９に示す実施例では、特定領域６１２の開口部６１４に、摺動式の開口部開閉部材２６３０を配して開閉動作を行うことにより、遊技球が特定領域６１２の開口部６１４に到達した場合であっても、遊技球が開口部６１４を通過する可能性が生ずる。したがって、遊技球が特定領域６１２の開口部６１４に確実に入球するまで遊技者の注意を引きつけて、遊技者の興味が持続するようにしている。
【００８６】
図８に示す状態では、移動式の開口部開閉部材２６３０が、特定領域６１２の開口部６１４を閉鎖する位置に移動している（閉鎖状態に設定されている。）ために、遊技球が特定領域６１２の開口部６１４に転動してきた場合であっても、遊技球が開口部６１４を通過して特定領域６１２に入賞しない状態となっている。他方、ハズレ穴６２２の開口部６２４は常時開口しているので、ハズレ穴６２２の開口部６２４に到達した遊技球は、開口部６２４からハズレ穴６２２に進入して、排出口６４０（図４、図６参照）から遊技盤１４（図３参照）の裏側に排出される。
【００８７】
図９に示す状態は、開口部開閉部材２６３０が回転盤２６１０の中央部の方向に向けて摺動することにより、特定領域６１２の開口部６１４を、遊技球の通過を許容する開口状態に設定している状態である。この開口部開閉部材２６３０を摺動させる機構について、以下に説明する。
【００８８】
図８及び図９に示す開口部開閉部材２６３０は、落下阻止面６１１直下の回転盤２６１０の内部に形成された空隙内において、水平面内において摺動可能に保持されている。この空隙は、特定領域６１２に貫通する空隙である。開口部開閉部材２６３０は、支点Ｐを中心に回動自在なリンク２６３２の一端の作用点に連接されているので、当該リンク２６３２の回動位置により、開口部開閉部材２６３０の摺動位置が規定されることになる。
【００８９】
リンク２６３２の他端の力点は、垂直方向に摺動可能なスラストロッド２６３４に連接されているので、リンク２６３２の回動角度は、スラストロッド２６３４の摺動位置により規定されることになる。したがって、スラストロッド２６３４の摺動方向は、９０°変換されて、かつ支点Ｐから作用点までの距離と、支点Ｐから力点までの距離との関係で定まるレバー比により、摺動量が増大されて開口部開閉部材２６３０に伝達される。尚、スラストロッド２６３４は、自重により常に下方に摺動する力が働いているが、これに加えて、強制的に下方に付勢するために、ばね等の付勢手段を用いることもできる。
【００９０】
スラストロッド２６３４は、垂直方向にプランジャを摺動させることが可能な開閉駆動手段２６３８（例えばソレノイド。）によって、上下方向に駆動される。すなわち、主制御回路６０が、開閉駆動手段２６３８に対して、開口部６１４を閉鎖する指令を出力すると、開口部開閉部材２６３０のプランジャが上方向に移動する。すると、リンク２６３２が時計回りに回動して、開口部開閉部材２６３０が回転盤２６１０の放射方向に向けて摺動するので、特定領域６１２の開口部６１４が閉鎖される（図８参照）。尚、図８及び図９に示すスラストロッド２６３４は、回転盤２６１０の回転軸と同軸となる位置に配置されているために、回転盤２６１０が回転した場合であっても、開閉駆動手段２６３８のプランジャに対する位置関係は変わらない。
【００９１】
他方、主制御回路６０が、開閉駆動手段２６３８に対して、開口部６１４を開口する指令を出力すると、開口部開閉部材２６３０のプランジャが下方向に移動する。この場合には、スラストロッド２６３４が自重又は所定の付勢力により降下するので、リンク２６３２が反時計回りに回動する。すると、開口部開閉部材２６３０が回転盤２６１０の中央方向に向けて摺動するので、特定領域６１２の開口部６１４が開口して、図９に示す状態となる。
【００９２】
このようにして、特定領域６１２の開口部６１４の開閉動作を行うことができる。尚、開口部６１４が開口している時間と閉鎖されている時間とを変更することで、遊技球が特定領域６１２に入賞する確率を調節することができる。そして、遊技球が特定領域６１２の開口部６１４に到達した場合であっても、当該開口部６１４が開口していれば、遊技球が特定領域６１２に入球して大当り等の遊技者にとって有利な遊技状態に移行するが、開口部開閉部材２６３０によって特定領域６１２の開口部６１４が閉鎖されている場合には、遊技球は特定領域６１２に入球することなく開口部６１４を通過する可能性が生ずる。したがって、遊技球が特定領域６１２に確実に入球するまで、遊技者の注意を引きつけておくことができる。このように、大当りの予測を困難にすることで、遊技者の興味を持続させることができる。
【００９３】
また、図８及び図９に示す実施例では、特定領域６１２の開口位置に対してバリエーションを設けるために、落下阻止面６１１と、特定領域６１２の開口部６１４とが形成された回転盤２６１０を回転可能に構成している。回転盤２６１０は、垂直に配された回転軸を中心にして、水平面内において回転する。回転軸の下部には、平歯車が形成されており、この平歯車は、ステッピングモータ等で構成された回転盤駆動手段６１８の出力軸に形成された平歯車と噛合している。したがって、主制御回路６０が回転盤駆動手段６１８の出力軸を回転駆動させることによって、特定領域６１２の開口部６１４の開口位置が刻々変化することとなる。この開口部６１４の開口位置を変化させることによって、遊技球が特定領域６１２に入賞するか否かの予測を更に困難なものとすることができる。
【００９４】
次に、本実施形態におけるパチンコ遊技機１０における制御回路のブロック図を図１０に示す。
【００９５】
図１０に示すように、パチンコ遊技機１０は、主に、遊技の制御を行う主制御回路６０と、遊技の進行に応じた演出の制御を行う副制御回路２００とから構成される。
【００９６】
主制御回路６０は、メインＣＰＵ６３、メインＲＯＭ６４（読み出し専用メモリ）、メインＲＡＭ６５（読み書き可能メモリ）を備えている。
【００９７】
メインＣＰＵ６３には、メインＲＯＭ６４、メインＲＡＭ６５等が接続されており、このメインＲＯＭ６４に記憶されたプログラムに従って、各種の処理を実行する機能を有する。
【００９８】
メインＲＯＭ６４には、メインＣＰＵ６３によりパチンコ遊技機１０の動作を制御するためのプログラムや、各種のテーブルなどが記憶されている。
【００９９】
メインＲＡＭ６５は、メインＣＰＵ６３の一時記憶領域として種々のフラグや変数の値を記憶する機能を有する。尚、本実施形態においては、メインＣＰＵ６３の一時記憶領域としてメインＲＡＭ６５を用いているが、これに限らず、読み書き可能な記憶媒体であればよい。
【０１００】
また、この主制御回路６０は、後述するシステムタイマ割込処理を実行するために、所定の周期（例えば２ミリ秒。）毎にクロックパルスを発生するリセット用クロックパルス発生回路６１、電源投入時においてリセット信号を生成する初期リセット回路６２、後述する副制御回路２００に対してコマンドを供給するためのシリアル通信用ＩＣ６６を備えている。
【０１０１】
また、主制御回路６０には、各種の装置が接続されている。
【０１０２】
例えば、主制御回路６０からの信号に応じる各種の装置としては、普通図柄ゲームにおける識別情報としての普通図柄の可変表示を行う普通図柄表示装置３５、普通図柄ゲームにおける普通図柄の可変表示の保留個数を表示する普通図柄保留表示装置３７、羽根部材４８を開放状態又は閉鎖状態とする普通電動役物ソレノイド１１８、可動部材６０２を駆動させ、入賞装置６００、１６００を開放状態又は閉鎖状態とする可動部材駆動手段１２０などが接続されている。
【０１０３】
また、主制御回路６０には、例えば、入賞装置６００若しくは入賞装置１６００における導入口６０３を遊技球が通過した場合に、所定の検知信号を主制御回路６０に供給する大入賞口センサ１０４、各一般入賞口５６を遊技球が通過した場合に所定の検知信号を主制御回路６０に供給する一般入賞球センサ１１２、球通過検出器５４を遊技球が通過した場合に所定の検知信号を主制御回路６０に供給する通過球センサ１１４、始動口４４ａ、４４ｂを遊技球が入賞した場合に、所定の検知信号を主制御回路６０に供給する始動入賞球センサ１１６ａ、１１６ｂ、電断時等におけるバックアップデータを遊技場の管理者の操作に応じてクリアするバックアップクリアスイッチ１２４、開口部開閉部材６３０、若しくは開口部開閉部材１６３０、２６３０等の開閉を駆動する開閉駆動手段６３８、若しくは開閉駆動手段１６３８、２６３８などが接続されている。
【０１０４】
また、主制御回路６０には、払出・発射制御回路１２６が接続されている。この払出・発射制御回路１２６には、遊技球の払出を行う払出装置１２８、遊技球の発射を行う発射装置１３０、カードユニット１５０が接続されている。また、カードユニット１５０には、貸出用操作部６８が接続されており、その操作に応じて、カードユニット１５０に操作信号が供給される。
【０１０５】
この払出・発射制御回路１２６は、主制御回路６０から供給される賞球制御コマンド、カードユニット１５０から供給される貸し球制御信号を受け取り、払出装置１２８に対して所定の信号を送信することにより、払出装置１２８に遊技球を払出させる。また、払出・発射制御回路１２６は、発射ハンドル２６が遊技者によって握持され、かつ、時計回り方向へ回動操作されたときには、その回動角度に応じて発射モータに電力を供給し、遊技球を発射させる制御を行う。
【０１０６】
更には、シリアル通信用ＩＣ６６には、副制御回路２００が接続されている。この副制御回路２００は、主制御回路６０から供給される各種のコマンドに応じて、液晶表示装置３２における表示制御、スピーカ４６から発生させる音声に関する制御、装飾ランプなどを含むランプ１３２の制御等を行う。
【０１０７】
尚、本実施形態においては、主制御回路６０から副制御回路２００に対してコマンドを供給するとともに、副制御回路２００から主制御回路６０に対して信号を供給できないように構成したが、これに限らず、副制御回路２００から主制御回路６０に対して信号を送信できるように構成しても問題ない。
【０１０８】
副制御回路２００は、サブＣＰＵ２０６、プログラムＲＯＭ２０８、ワークＲＡＭ２１０、液晶表示装置３２における表示制御を行うための表示制御回路２５０、スピーカ４６から発生させる音声に関する制御を行う音声制御回路２３０、装飾ランプなどを含むランプ１３２の制御を行うランプ制御回路２４０から構成されている。副制御回路２００は、主制御回路６０からの指令に応じて遊技の進行に応じた演出を実行する。
【０１０９】
サブＣＰＵ２０６は、このプログラムＲＯＭ２０８に記憶されたプログラムに従って、各種の処理を実行する機能を有する。特に、サブＣＰＵ２０６は、主制御回路６０から供給される各種のコマンドに従って、副制御回路２００の制御を行う。
【０１１０】
プログラムＲＯＭ２０８には、サブＣＰＵ２０６によりパチンコ遊技機１０の遊技演出を制御するためのプログラムや各種のテーブルが記憶されている。
【０１１１】
尚、本実施形態においては、プログラム、テーブル等を記憶する記憶手段として、メインＲＯＭ６４、プログラムＲＯＭ２０８を用いるように構成したが、これに限らず、制御手段を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジ等の記憶媒体に記録されていてもよい。また、これらのプログラムは、予め記録されているものでなくとも、電源投入後にこれらのプログラムをダウンロードし、ワークＲＡＭ２１０等に記録されるものでもよい。更にまた、プログラムの各々が別々の記憶媒体に記録されていてもよい。
【０１１２】
ワークＲＡＭ２１０は、サブＣＰＵ２０６の一時記憶領域として種々のフラグや変数の値を記憶する。尚、本実施形態においては、サブＣＰＵ２０６の一時記憶領域としてワークＲＡＭ２１０を用いているが、これに限らず、読み書き可能な記憶媒体であればよい。
【０１１３】
表示制御回路２５０は、液晶表示装置３２の表示制御を行う回路であり、画像データプロセッサ（以下、ＶＤＰと称する。）、各種の画像データを生成するためのデータが記憶されている画像データＲＯＭ、画像データをバッファするフレームバッファ、画像データを画像信号として変換するＤ／Ａコンバータなどから構成されている。
【０１１４】
表示制御回路２５０は、サブＣＰＵ２０６から供給されるデータに応じて、液晶表示装置３２に画像を表示させるための種々の処理を行うことができる装置である。表示制御回路２５０は、サブＣＰＵ２０６から供給される画像表示命令に応じて、装飾図柄を示す装飾図柄画像データ、背景画像データ、演出用画像データ等、各種の画像データなど、液晶表示装置３２に表示させるための画像データを一時的にフレームバッファに格納する。
【０１１５】
そして、表示制御回路２５０は、所定のタイミングで、フレームバッファに格納された画像データをＤ／Ａコンバータに供給する。このＤ／Ａコンバータは、画像データを画像信号として変換し、所定のタイミングでこの画像信号を液晶表示装置３２に供給することにより、液晶表示装置３２に画像が表示される。つまり、表示制御回路２５０は、液晶表示装置３２に遊技に関する画像を表示させる制御を行うこととなる。
【０１１６】
また、音声制御回路２３０は、音声に関する制御を行う音源ＩＣ、各種の音声データを記憶する音声データＲＯＭ、音声信号を増幅するための増幅器（以下、ＡＭＰと称する。）などから構成されている。
【０１１７】
この音源ＩＣは、スピーカ４６から発生させる音声の制御を行う。音源ＩＣは、サブＣＰＵ２０６から供給される音声発生命令に応じて、音声データＲＯＭに記憶されている複数の音声データから一つの音声データを選択する。また、音源ＩＣは、選択された音声データを音声データＲＯＭから読み出し、音声データを所定の音声信号に変換し、その音声信号をＡＭＰに供給する。ＡＭＰは、音声信号を増幅させ、スピーカ４６から音声を発生させる。
【０１１８】
ランプ制御回路２４０は、ランプ制御信号を供給するためのドライブ回路、複数種類のランプ装飾パターンが記憶されている装飾データＲＯＭなどから構成されている。
【０１１９】
次に、図４〜図７に示した入賞装置６００、１６００の他の実施の形態について、図１１〜図１４を用いて説明する。
【０１２０】
先ず、図１１に示す入賞装置３６００について説明する。図４に示した入賞装置６００では、特定領域６１２の開口部６１４が回転盤６１０に開口しており、この回転盤６１０及び開口部開閉部材６３０の双方が回転する実施例を示したが、図１１に示す入賞装置３６００では、開口部開閉部材６３０のみを回転可能に構成して、特定領域６１２の開口部６１４は、遊技盤１４に固定した入賞装置隔壁３６０１に開口させている。尚、図４に示した構成と同一の部材については、同一の符号を付してその説明を省略する。
【０１２１】
図１１に示すように、開口部開閉部材６３０のみを回転可能に構成することによっても、特定領域６１２の開口部６１４を開口状態又は閉鎖状態に切り替えることができる。そして、遊技球が特定領域６１２に確実に入球するまで、遊技者の注意を引きつけておくことができる。
【０１２２】
次に、図１２に示す入賞装置４６００について説明する。図４に示した入賞装置６００では、特定領域６１２の開口部６１４が回転盤６１０に開口しており、この回転盤６１０及び開口部開閉部材６３０の双方が回転する実施例を示したが、図１２に示す入賞装置４６００では、開口部開閉部材を入賞装置隔壁４６０１に固定して、特定領域６１２の開口部６１４を回転可能な回転盤６１０に開口させている。尚、図４に示した構成と同一の部材については、同一の符号を付してその説明を省略する。
【０１２３】
図１２に示すように、開口部開閉部材を固定しておき、回転盤６１０に開口させた特定領域６１２の開口部６１４を回転移動させることによっても、開口部６１４を開口状態又は閉鎖状態に切り替えることができる。そして、遊技球が特定領域６１２に確実に入球するまで、遊技者の注意を引きつけておくことができる。図１２に示す実施例によれば、入賞領域６０５に遊技球が入った場合には、遊技者は、遊技球と、刻々回転移動する特定領域６１２の開口部６１４とを目で追うことになるので、遊技が単調になることを解消することができる。
【０１２４】
次に、図１３に示す入賞装置５６００について説明する。図６に示した入賞装置１６００では、特定領域６１２の開口部６１４が回転盤１６１０に開口しており、この回転盤１６１０及び開口部開閉部材１６３０の双方が回転する実施例を示したが、図１３に示す入賞装置５６００では、開口部開閉部材１６３０のみを回転可能に構成して、特定領域６１２の開口部６１４は、遊技盤１４に固定した入賞装置隔壁５６０１に開口させている。尚、図６に示した構成と同一の部材については、同一の符号を付してその説明を省略する。
【０１２５】
図１３に示すように、開口部開閉部材１６３０のみを回転可能に構成することによっても、特定領域６１２の開口部６１４を開口状態又は閉鎖状態に切り替えて、遊技球が特定領域６１２に確実に入球するまで、遊技者の注意を引きつけておくことができる。
【０１２６】
次に、図１４に示す入賞装置６６００について説明する。図６に示した入賞装置１６００では、特定領域６１２の開口部６１４が回転盤１６１０に開口しており、この回転盤１６１０及び開口部開閉部材１６３０の双方が回転する実施例を示したが、図１４に示す入賞装置６６００では、開口部開閉部材を入賞装置隔壁６６０１に固定して、特定領域６１２の開口部６１４を回転可能な回転盤１６１０に開口させている。尚、図６に示した構成と同一の部材については、同一の符号を付してその説明を省略する。
【０１２７】
図１４に示すように、開口部開閉部材を固定して、回転盤１６１０に開口させた特定領域６１２の開口部６１４を回転移動させることによっても、開口部６１４を開口状態又は閉鎖状態に切り替えて、遊技球が特定領域６１２に確実に入球するまで、遊技者の注意を引きつけておくことができる。図１４に示す実施例によれば、入賞領域６０５に遊技球が入ると、遊技者は、遊技球と、刻々回転移動する特定領域６１２の開口部６１４とを目で追うことになるので、遊技が単調になることを解消することができる。
【０１２８】
図１１〜図１４に示す実施例では、開口部開閉部材が落下阻止面６１１直下の内部を移動するように構成した実施例を示したが、これに代えて開口部開閉部材が落下阻止面６１１の上面を移動するように構成することもできる。また、図１１〜図１４に示す実施例では、開口部６１４及び開口部開閉部材を入賞装置の内部に配置した実施例を示しているが、開口部６１４及び開口部開閉部材を、入賞装置外部の遊技領域１５に配置することもできる。
【図面の簡単な説明】
【０１２９】
【図１】パチンコ遊技機の外観を示す斜視図である。
【図２】パチンコ遊技機の分解斜視図である。
【図３】遊技盤の正面図である。
【図４】特定領域の開口部が形成されている回転盤と、開口部を開口状態又は閉鎖状態に設定可能な開口部開閉部材との双方が、中央部で支持されて回転する実施例を表した正面図である。
【図５】図４に示すＶ−Ｖ矢視断面図であり、回転盤を上方から観察した平面図である。
【図６】特定領域の開口部が形成され、中央で支持されている回転盤と、外周部にて支持された開口部開閉部材の双方が回転する実施例を表した正面図である。
【図７】図６に示すＶＩＩ−ＶＩＩ矢視断面図であり、回転盤を上方から観察した平面図である。
【図８】摺動式の開口部開閉部材を特定領域の開口部に進出させることにより、開口部が閉鎖されている状態を示す正面断面図である。
【図９】摺動式の開口部開閉部材を退避させることにより、特定領域の開口部が開口している状態を示す正面断面図である。
【図１０】パチンコ遊技機における制御回路のブロック図を示す図である。
【図１１】開口部開閉部材を中央部にて回転駆動可能に軸支し、特定領域の開口部は遊技盤側に固定した実施例を示す正面断面図である。
【図１２】開口部開閉部材を中央部にて入賞装置隔壁側に固定して、特定領域の開口部を回転盤に開口させた実施例を示す正面断面図である。
【図１３】開口部開閉部材を外周部にて回転駆動可能に支持して、特定領域の開口部は遊技盤側に固定した実施例を示す正面断面図である。
【図１４】開口部開閉部材を外周部にて入賞装置隔壁側に固定して、特定領域の開口部を回転盤に開口させた実施例を示す正面断面図である。
【符号の説明】
【０１３０】
１０…パチンコ遊技機
１４…遊技盤
１５…遊技領域
２６…発射ハンドル
３２…液晶表示装置
４４ａ、４４ｂ…始動口
６０…主制御回路
１０４…大入賞口センサ
１２０…可動部材駆動手段
１２１…プランジャ
１３０…発射装置
２００…副制御回路
２０６…サブＣＰＵ
６００，１６００、２６００、３６００、４６００、５６００、６６００…入賞装置
６０１、１６０１，２６０１、３６０１、４６０１、５６０１、６６０１…入賞装置隔壁
６０２…可動部材
６０３…導入口
６０５…入賞領域
６１０、１６１０、２６１０…回転盤
６１１…落下阻止面
６１２…特定領域
６１３…特定領域通過検出手段
６１４、６２４…開口部
６１５…特定領域識別表示
６１６、６２６…傾斜面
６１８…回転盤駆動手段
６２２…ハズレ穴
６３０、１６３０、２６３０…開口部開閉部材
６４０…排出口
１６３２、１６３４…落下孔
１６３６…案内溝
６３８、１６３８、２６３８…開閉駆動手段
１６３９…ウォームギヤ
２６３２…リンク
２６３４…スラストロッド
Ｐ…リンク支点
【図１】
2009291474.tif 000003
【図２】
2009291474.tif 000004
【図３】
2009291474.tif 000005
【図４】
2009291474.tif 000006
【図５】
2009291474.tif 000007
【図６】
2009291474.tif 000008
【図７】
2009291474.tif 000009
【図８】
2009291474.tif 000010
【図９】
2009291474.tif 000011
【図１０】
2009291474.tif 000012
【図１１】
2009291474.tif 000013
【図１２】
2009291474.tif 000014
【図１３】
2009291474.tif 000015
【図１４】
2009291474.tif 000016